(57)【要約】【課題】蓄電素子の容器が損傷するのを抑制することができる蓄電装置を提供する。【解決手段】蓄電装置１０は、第一容器本体と第一蓋体とを有する第一蓄電素子３０１を第一方向の端部に有し、第二容器本体と第二蓋体とを有する第二蓄電素子３０２を第一方向とは反対の第二方向の端部に有する複数の蓄電素子３００と、第一蓄電素子３０１の第一方向側に配置される第一エンドプレート４０１と、第二蓄電素子３０２の第二方向側に配置される第二エンドプレート４０２と、を備え、第一エンドプレート４０１は、第一容器本体の第一方向側の側面に当接する第一容器当接部と、第一蓋体の表面に当接する第一蓋体当接部と、を有し、第二エンドプレート４０２は、第二容器本体の第二方向側の側面に当接する第二容器当接部と、第二蓋体の表面に当接する第二蓋体当接部と、を有する。【選択図】図６
2019079599.tif 000002
【特許請求の範囲】
【請求項１】
第一容器本体と第一蓋体とを有する第一蓄電素子を第一方向の端部に有し、第二容器本体と第二蓋体とを有する第二蓄電素子を前記第一方向とは反対の第二方向の端部に有する複数の蓄電素子と、
前記第一蓄電素子の前記第一方向側に配置される第一エンドプレートと、
前記第二蓄電素子の前記第二方向側に配置される第二エンドプレートと、を備え、
前記第一エンドプレートは、
前記第一容器本体の前記第一方向側の側面に当接する第一容器当接部と、
前記第一蓋体の表面に当接する第一蓋体当接部と、を有し、
前記第二エンドプレートは、
前記第二容器本体の前記第二方向側の側面に当接する第二容器当接部と、
前記第二蓋体の表面に当接する第二蓋体当接部と、を有する
蓄電装置。
【請求項２】
前記第一容器当接部は、前記第一方向から見て、前記第一容器本体及び前記第一蓋体の前記第一方向側の側面における、前記第一容器本体と前記第一蓋体との接合部と重なる位置に当接して配置されている
請求項１に記載の蓄電装置。
【請求項３】
前記第一蓋体当接部は、前記第一蓋体の表面に固定されている
請求項１または２に記載の蓄電装置。
【請求項４】
さらに、前記複数の蓄電素子と前記第一エンドプレートと前記第二エンドプレートとを収容する外装体を備え、
前記第一エンドプレート及び前記第二エンドプレートは、前記第一方向において、前記外装体の内面に当接して配置されている
請求項１〜３のいずれか１項に記載の蓄電装置。
【請求項５】
前記第一容器当接部及び前記第一蓋体当接部は、互いに接合された金属製の部材であり、
前記第一蓋体当接部は、前記第一容器当接部から前記第二方向に向けて突出して配置されている
請求項１〜４のいずれか１項に記載の蓄電装置。
【請求項６】
前記第一エンドプレートは、さらに、前記第一蓋体当接部の端部から前記第一容器当接部とは反対側に突出し、かつ、前記第一容器当接部側に湾曲して前記第一容器当接部に接続される曲げ部を有し、
前記第一容器当接部、前記曲げ部及び前記第一蓋体当接部は、連続した１つの金属製の部材である
請求項１〜４のいずれか１項に記載の蓄電装置。
【発明の詳細な説明】
【技術分野】
【０００１】
本発明は、複数の蓄電素子と、当該複数の蓄電素子の両側に配置される２つのエンドプレートとを備える蓄電装置に関する。
【背景技術】
【０００２】
従来、複数の蓄電素子と、当該複数の蓄電素子の両側に配置される２つのエンドプレートとを備えた蓄電装置が知られている。例えば、特許文献１には、複数の電池セル（蓄電素子）を２つのエンドプレートで挟み、当該２つのエンドプレートを連結固定具で接続した構成の電源装置（蓄電装置）が開示されている。
【先行技術文献】
【特許文献】
【０００３】
【特許文献１】特開２０１３−２４６９９０号公報
【発明の概要】
【発明が解決しようとする課題】
【０００４】
しかしながら、上記従来の蓄電装置では、蓄電素子の容器が損傷してしまうおそれがある。つまり、上記従来の蓄電装置の構成では、複数の蓄電素子のうちの中間位置の蓄電素子は、両側の蓄電素子に押圧されて容器の膨れが抑制されるが、端部の蓄電素子は、容器が外側に膨らむため、当該容器が損傷してしまうおそれがある。特に、当該容器に容器本体と蓋体との接合部がある場合には、当該接合部に大きな応力がかかり、当該接合部が割れる等損傷するおそれがある。
【０００５】
本発明は、上記問題を解決するためになされたものであり、蓄電素子の容器が損傷するのを抑制することができる蓄電装置を提供することを目的とする。
【課題を解決するための手段】
【０００６】
上記目的を達成するために、本発明の一態様に係る蓄電装置は、第一容器本体と第一蓋体とを有する第一蓄電素子を第一方向の端部に有し、第二容器本体と第二蓋体とを有する第二蓄電素子を前記第一方向とは反対の第二方向の端部に有する複数の蓄電素子と、前記第一蓄電素子の前記第一方向側に配置される第一エンドプレートと、前記第二蓄電素子の前記第二方向側に配置される第二エンドプレートと、を備え、前記第一エンドプレートは、前記第一容器本体の前記第一方向側の側面に当接する第一容器当接部と、前記第一蓋体の表面に当接する第一蓋体当接部と、を有し、前記第二エンドプレートは、前記第二容器本体の前記第二方向側の側面に当接する第二容器当接部と、前記第二蓋体の表面に当接する第二蓋体当接部と、を有する。
【０００７】
これによれば、蓄電装置において、一端部の第一蓄電素子の第一容器本体の側面と第一蓋体の表面とに第一エンドプレートを当接させ、他端部の第二蓄電素子の第二容器本体の側面と第二蓋体の表面とに第二エンドプレートを当接させて、複数の蓄電素子を挟み込む。つまり、２つのエンドプレートで複数の蓄電素子を挟み込んだ状態で、両端部の蓄電素子の容器において容器本体の側面と蓋体の表面とにエンドプレートをそれぞれ当接させる。これにより、両端部の蓄電素子の容器において、容器本体に対して蓋体が傾いたり変形したりするのが抑制されるため、当該両端部の蓄電素子の容器が膨れるのを抑制することができる。このように、２つのエンドプレートで複数の蓄電素子を挟み込んで、両端部の蓄電素子の容器が膨れるのを抑制することで、複数の蓄電素子の容器が膨れるのをバランスよく抑制することができるため、当該容器が損傷するのを抑制することができる。
【０００８】
また、前記第一容器当接部は、前記第一方向から見て、前記第一容器本体及び前記第一蓋体の前記第一方向側の側面における、前記第一容器本体と前記第一蓋体との接合部と重なる位置に当接して配置されていることにしてもよい。
【０００９】
これによれば、第一エンドプレートの第一容器当接部は、第一方向から見て、第一容器本体及び第一蓋体の第一方向側の側面における、第一容器本体と第一蓋体との接合部と重なる位置に当接して配置されている。つまり、容器において、第一容器本体と第一蓋体との接合部は強度が比較的弱い箇所であるため、第一方向から見て、容器の側面における当該接合部と重なる位置に、第一エンドプレートを当接して配置する。これにより、当該接合部を補強して当該接合部が損傷するのを抑制しつつ容器の側面を押さえることができるため、蓄電素子の容器が損傷するのをさらに抑制することができる。
【００１０】
また、前記第一蓋体当接部は、前記第一蓋体の表面に固定されていることにしてもよい。
【００１１】
これによれば、第一エンドプレートの第一蓋体当接部は、第一蓋体の表面に固定されている。つまり、第一エンドプレートを第一蓋体に固定することで、第一エンドプレートを第一蓋体の動きに追従させることができるため、第一容器本体に対して第一蓋体が傾いたり変形したりするのがさらに抑制される。これにより、容器が膨れるのをさらに抑制することができるため、蓄電素子の容器が損傷するのをさらに抑制することができる。
【００１２】
また、さらに、前記複数の蓄電素子と前記第一エンドプレートと前記第二エンドプレートとを収容する外装体を備え、前記第一エンドプレート及び前記第二エンドプレートは、前記第一方向において、前記外装体の内面に当接して配置されていることにしてもよい。
【００１３】
これによれば、第一エンドプレート及び第二エンドプレートは、第一方向において、外装体の内面に当接して配置されている。つまり、外装体で２つのエンドプレートを挟み込むことで、外装体に対する当該２つのエンドプレートの移動を規制することができるため、当該２つのエンドプレートで複数の蓄電素子をしっかりと挟み込むことができる。これにより、蓄電素子の容器が膨れるのを抑制することができ、蓄電素子の容器が損傷するのを抑制することができる。
【００１４】
また、前記第一容器当接部及び前記第一蓋体当接部は、互いに接合された金属製の部材であり、前記第一蓋体当接部は、前記第一容器当接部から前記第二方向に向けて突出して配置されていることにしてもよい。
【００１５】
これによれば、第一エンドプレートは、金属製の第一容器当接部と、第一容器当接部から第二方向に向けて突出するように配置された金属製の第一蓋体当接部とが、接合されて形成されている。ここで、１枚の金属製のプレートを曲げて加工することで第一容器当接部及び第一蓋体当接部を形成すると、第一容器当接部と第一蓋体当接部との間に湾曲部（Ｒ部）ができてしまう。しかし、当該湾曲部が大きいと、当該湾曲部が容器の角部と干渉してしまうため、第一容器当接部及び第一蓋体当接部を第一容器本体の側面及び第一蓋体の表面に当接させることが困難になる。このため、別部材の第一容器当接部及び第一蓋体当接部を接合することで、第一容器本体の側面及び第一蓋体の表面に当接可能な形状を容易に形成することができる。
【００１６】
また、前記第一エンドプレートは、さらに、前記第一蓋体当接部の端部から前記第一容器当接部とは反対側に突出し、かつ、前記第一容器当接部側に湾曲して前記第一容器当接部に接続される曲げ部を有し、前記第一容器当接部、前記曲げ部及び前記第一蓋体当接部は、連続した１つの金属製の部材であることにしてもよい。
【００１７】
これによれば、第一エンドプレートにおいて、第一容器当接部と、第一蓋体当接部の端部から突出して第一容器当接部側に湾曲した曲げ部と、第一蓋体当接部とが、連続した１つの金属製の部材で形成されている。このように、第一容器当接部と第一蓋体当接部との間に曲げ部を形成することで、第一容器当接部及び第一蓋体当接部を第一容器本体の側面及び第一蓋体の表面に当接させることができる。また、連続した１つの金属製の部材を加工して、第一容器当接部と曲げ部と第一蓋体当接部とを形成することで、第一エンドプレートを容易に形成することができる。
【００１８】
また、本発明は、このような蓄電装置として実現することができるだけでなく、当該蓄電装置が備えるエンドプレート（第一エンドプレート及び第二エンドプレート）としても実現することができる。
【発明の効果】
【００１９】
本発明における蓄電装置によれば、蓄電素子の容器が損傷するのを抑制することができる。
【図面の簡単な説明】
【００２０】
【図１】実施の形態に係る蓄電装置の外観を示す斜視図である。
【図２】実施の形態に係る蓄電装置を分解した場合の各構成要素を示す分解斜視図である。
【図３】実施の形態に係る蓄電素子の構成を示す斜視図である。
【図４】実施の形態に係るエンドプレートの構成を示す斜視図である。
【図５】実施の形態に係るエンドプレートが蓄電素子に取り付けられた構成を示す斜視図である。
【図６】実施の形態に係る蓄電素子及びエンドプレートが第二外装体内に収容された状態での構成を示す断面図である。
【図７】実施の形態の変形例１に係るエンドプレートの構成を示す側面図である。
【図８】実施の形態の変形例２に係るエンドプレートの構成を示す斜視図である。
【発明を実施するための形態】
【００２１】
以下、図面を参照しながら、本発明の実施の形態（及びその変形例）に係る蓄電装置について説明する。なお、以下で説明する実施の形態は、いずれも包括的または具体的な例を示すものである。以下の実施の形態で示される数値、形状、材料、構成要素、構成要素の配置位置及び接続形態、製造工程、製造工程の順序などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２２】
また、以下の説明及び図面中において、蓄電素子の並び方向、蓄電素子の容器の長側面の対向方向、当該容器の厚さ方向、または、エンドプレートの並び方向をＸ軸方向と定義する。また、１つの蓄電素子における電極端子の並び方向、または、蓄電素子の容器の短側面の対向方向をＹ軸方向と定義する。また、蓄電装置の外装体本体と蓋との並び方向、蓄電素子の容器本体と蓋との並び方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００２３】
（実施の形態）
［１  蓄電装置１０の全般的な説明］
まず、図１及び図２を用いて、本実施の形態における蓄電装置１０の全般的な説明を行う。図１は、本実施の形態に係る蓄電装置１０の外観を示す斜視図である。図２は、本実施の形態に係る蓄電装置１０を分解した場合の各構成要素を示す分解斜視図である。
【００２４】
蓄電装置１０は、外部からの電気を充電し、また外部へ電気を放電することができる装置である。例えば、蓄電装置１０は、電力貯蔵用途や電源用途などに使用される電池モジュールである。具体的には、蓄電装置１０は、例えば、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械などの移動体の駆動用またはエンジン始動用のバッテリ等として用いられる。
【００２５】
図１に示すように、蓄電装置１０は、第一外装体１００及び第二外装体２００からなる外装体１１を備えており、図２に示すように、外装体１１の内方には、複数の蓄電素子３００、２つ（一対）のエンドプレート４００、及び、複数のバスバー５００が収容されている。なお、外装体１１の内方には、回路基板やリレーなどの電気機器、バスバーフレーム等も配置されていてもよい。
【００２６】
外装体１１は、蓄電装置１０の外装体を構成する略直方体形状（箱型）の容器（モジュールケース）である。つまり、外装体１１は、複数の蓄電素子３００、２つのエンドプレート４００及びバスバー５００等の外方に配置され、これら蓄電素子３００等を所定の位置に配置し、衝撃などから保護する。また、外装体１１は、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体１１は、これにより、蓄電素子３００等が外部の金属部材などに接触することを回避する。
【００２７】
ここで、外装体１１は、外装体１１の蓋体を構成する第一外装体１００と、外装体１１の本体を構成する第二外装体２００とを有している。第一外装体１００は、第二外装体２００の開口を閉塞する扁平な矩形状の部材であり、正極外部端子１１０と負極外部端子１２０とが設けられている。蓄電装置１０は、この正極外部端子１１０と負極外部端子１２０とを介して、外部からの電気を充電し、また外部へ電気を放電する。
【００２８】
第二外装体２００は、開口が形成された有底矩形筒状のハウジング（筐体）であり、蓄電素子３００等を収容する。ここで、第二外装体２００は、底壁２１０と、底壁２１０から立設された４つの側壁である２つの長側壁２２０及び２つの短側壁２３０と、２つの長側壁２２０の内壁に配置された複数のリブ２４０と、Ｘ軸方向に並ぶ３つの仕切板２５０（図６参照）とを有している。底壁２１０は、Ｘ軸方向に長い長方形状の板状部位であり、長側壁２２０は、Ｘ軸方向に長い長方形状の板状部位であり、短側壁２３０は、略正方形状の板状部位である。また、リブ２４０は、長側壁２２０の内壁から内方に向けて突出するリブであり、Ｚ軸方向に延設され、かつ、Ｘ軸方向に並べられて配置されている。また、仕切板２５０は、蓄電素子３００同士を仕切る（後述の蓄電素子群同士を仕切る）板状部位であり、底壁２１０と２つの長側壁２２０とに接続されて配置されている。
【００２９】
蓄電素子３００は、電気を充電し、また、電気を放電することのできる二次電池（単電池）であり、より具体的には、リチウムイオン二次電池などの非水電解質二次電池である。蓄電素子３００は、扁平な直方体形状（角型）の形状を有しており、本実施の形態では、８個の蓄電素子３００がＸ軸方向に配列されている。ここで、Ｘ軸方向プラス側（以下、第一方向ともいう）の端部に配置される蓄電素子３００を、第一蓄電素子３０１とも呼ぶこととする。また、Ｘ軸方向マイナス側（第一方向とは反対側、以下、第二方向ともいう）の端部に配置される蓄電素子３００を、第二蓄電素子３０２とも呼ぶこととする。また、第一蓄電素子３０１及び第二蓄電素子３０２の間に配置される６つの蓄電素子３００を、第三蓄電素子３０３とも呼ぶこととする。
【００３０】
なお、蓄電素子３００の形状や、配列される蓄電素子３００の個数（つまり、第三蓄電素子３０３の個数）は限定されない。また、蓄電素子３００は、非水電解質二次電池には限定されず、非水電解質二次電池以外の二次電池であってもよいし、キャパシタであってもよい。また、蓄電素子３００は、二次電池ではなく、使用者が充電をしなくても蓄えられている電気を使用できる一次電池であってもよい。この蓄電素子３００（第一蓄電素子３０１、第二蓄電素子３０２、第三蓄電素子３０３）の構成の詳細な説明については、後述する。
【００３１】
エンドプレート４００は、複数の蓄電素子３００のＸ軸方向両側に配置されたＬ字形状の板状部材（挟持部材）であり、複数の蓄電素子３００を、当該複数の蓄電素子３００の配列方向（Ｘ軸方向）の両側から挟み込む。また、それぞれのエンドプレート４００は、第二外装体２００の短側壁２３０の内壁に対向して配置され、当該内壁に当接して配置されている。これにより、エンドプレート４００は、複数の蓄電素子３００を、Ｘ軸方向の両側から圧迫する。本実施の形態では、エンドプレート４００は、強度の観点等から、例えば鋼やステンレス等の金属製の部材で形成されているが、これに限定されず、例えば強度の高い樹脂等で形成されていてもよい。なお、エンドプレート４００が金属等の導電性の部材で形成されている場合には、腐食防止等の観点から、エンドプレート４００に絶縁処理を施したり、エンドプレート４００と蓄電素子３００との間に絶縁部材を配置したりしてもよい。
【００３２】
ここで、第一蓄電素子３０１のＸ軸方向プラス側（第一方向側）に配置されるエンドプレート４００を、第一エンドプレート４０１とも呼ぶこととする。また、第二蓄電素子３０２のＸ軸方向マイナス側（第二方向側）に配置されるエンドプレート４００を、第二エンドプレート４０２とも呼ぶこととする。つまり、第一エンドプレート４０１及び第二エンドプレート４０２は、第一方向において、複数の蓄電素子３００を挟み込み、かつ、第二外装体２００の内面（短側壁２３０の内壁）に当接して配置されることで、複数の蓄電素子３００を両側から圧迫する。このエンドプレート４００（第一エンドプレート４０１、第二エンドプレート４０２）の構成の詳細な説明については、後述する。
【００３３】
バスバー５００は、複数の蓄電素子３００上に配置され、複数の蓄電素子３００の電極端子同士を電気的に接続する矩形状の板状部材である。また、バスバー５００は、正極外部端子１１０及び負極外部端子１２０とも接続される。バスバー５００は、例えば、銅、銅合金、アルミニウム、アルミニウム合金等の金属製の導電部材で形成されている。
【００３４】
本実施の形態では、バスバー５００は、蓄電素子３００を２個ずつ並列に接続して４セットの蓄電素子群を構成し、当該４セットの蓄電素子群を直列に接続する。また、バスバー５００は、正極外部端子１１０側（図２ではＸ軸方向プラス側）に配置された蓄電素子群内の２個の蓄電素子３００の正極端子と、正極外部端子１１０とを接続する。さらに、バスバー５００は、負極外部端子１２０側（図２ではＸ軸方向マイナス側）に配置された蓄電素子群内の２個の蓄電素子３００の負極端子と、負極外部端子１２０とを接続する。なお、バスバー５００は、８個の蓄電素子３００を全て直列に接続してもよいし、その他の構成であってもかまわない。
【００３５】
［２  蓄電素子３００の構成の説明］
次に、蓄電素子３００（第一蓄電素子３０１、第二蓄電素子３０２、第三蓄電素子３０３）の構成について、詳細に説明する。図３は、本実施の形態に係る蓄電素子３００の構成を示す斜視図である。具体的には、同図は、蓄電素子３００の容器３１０を透視して蓄電素子３００の内部も示している。なお、第一蓄電素子３０１、第二蓄電素子３０２及び第三蓄電素子３０３は、同図に示す蓄電素子３００と同様の構成を有しているため、個別の説明は省略する。
【００３６】
同図に示すように、蓄電素子３００は、容器３１０と、２つの電極端子３２０（正極端子及び負極端子）とを備えている。また、容器３１０内方には、２つの集電体３３０（正極集電体及び負極集電体）と、電極体３４０とが配置されている。なお、容器３１０の内方には、電解液（非水電解質）も封入されているが、図示は省略する。また、上記の構成要素の他、電極端子３２０と容器３１０との間、及び、集電体３３０と容器３１０との間にガスケットが配置されていてもよいし、電極体３４０と容器３１０との間にスペーサが配置されていてもよい。
【００３７】
容器３１０は、開口が形成された容器本体３１１と、容器本体３１１の開口を閉塞する蓋体３１２とを有する直方体形状（角型）の容器である。容器本体３１１は、容器３１０の本体部を構成する矩形筒状で底を備える部材であり、Ｘ軸方向両側の側面に２つの長側面部３１１ａ、Ｙ軸方向両側の側面に２つの短側面部３１１ｂ、並びに、Ｚ軸方向マイナス側に底面部３１１ｃを有している。長側面部３１１ａは、容器３１０の長側面を形成する矩形状かつ板状の部位であり、短側面部３１１ｂは、容器３１０の短側面を形成する矩形状かつ板状の部位であり、底面部３１１ｃは、容器３１０の底面を形成する矩形状かつ板状の部位である。また、蓋体３１２は、容器３１０の蓋部を構成する矩形状の板状部材であり、容器本体３１１のＺ軸方向プラス側に配置されている。
【００３８】
具体的には、容器３１０は、電極体３４０等を容器本体３１１の内方に収容後、容器本体３１１と蓋体３１２とが溶接等によって接合されて接合部３１０ａが形成されることにより、内部を密封することができるものとなっている。つまり、容器３１０の側面（Ｘ軸方向両側及びＹ軸方向両側の面）には、容器本体３１１と蓋体３１２とが互いに接合された接合部３１０ａが形成されている。なお、容器３１０（容器本体３１１及び蓋体３１２）の材質は、特に限定されないが、例えばステンレス鋼、アルミニウム、アルミニウム合金など溶接可能（接合可能）な金属であるのが好ましい。また、蓋体３１２には、容器３１０内方の圧力が上昇した場合に当該圧力を開放するガス排出弁３１２ａや、電解液を注液する注液部（図示せず）等が設けられているが、詳細な説明は省略する。
【００３９】
なお、以下では、第一蓄電素子３０１の容器３１０を第一容器とも呼び、第一蓄電素子３０１の容器本体３１１を第一容器本体とも呼び、第一蓄電素子３０１の蓋体３１２を第一蓋体とも呼ぶこととする。また、第二蓄電素子３０２の容器３１０を第二容器とも呼び、第二蓄電素子３０２の容器本体３１１を第二容器本体とも呼び、第二蓄電素子３０２の蓋体３１２を第二蓋体とも呼ぶこととする。つまり、第一容器の側面には、第一容器本体と第一蓋体との接合部３１０ａが形成されており、第二容器の側面には、第二容器本体と第二蓋体との接合部３１０ａが形成されている。
【００４０】
電極端子３２０は、集電体３３０を介して、電極体３４０の正極板及び負極板に電気的に接続される端子（正極端子及び負極端子）である。つまり、電極端子３２０は、電極体３４０に蓄えられている電気を蓄電素子３００の外部空間に導出し、また、電極体３４０に電気を蓄えるために蓄電素子３００の内部空間に電気を導入するための金属製の部材である。なお、電極端子３２０は、アルミニウムまたはアルミニウム合金などで形成されている。
【００４１】
電極体３４０は、電気を蓄えることができる蓄電要素（発電要素）であり、正極板と負極板とセパレータとを備え、当該正極板、負極板及びセパレータがＸ軸方向に積層されて形成されている。具体的には、電極体３４０は、正極板、負極板及びセパレータが巻回軸（電極体３４０の中心を貫くＹ軸方向の仮想軸）まわりに巻回されて形成された巻回型の電極体であり、集電体３３０と電気的に接続される。
【００４２】
正極板は、アルミニウムやアルミニウム合金などからなる長尺帯状の金属箔である正極基材層の表面に、正極活物質層が形成された電極板である。負極板は、銅や銅合金などからなる長尺帯状の金属箔である負極基材層の表面に、負極活物質層が形成された電極板である。セパレータは、樹脂からなる微多孔性のシートである。なお、正極活物質層及び負極活物質層に用いられる正極活物質及び負極活物質としては、リチウムイオンを吸蔵放出可能な活物質であれば、適宜公知の材料を使用できる。セパレータについても、蓄電素子３００の性能を損なうものでなければ適宜公知の材料を使用できる。
【００４３】
具体的には、電極体３４０は、正極板と負極板とが、セパレータを介して、巻回軸の方向（Ｙ軸方向）に互いにずらして巻回されている。そして、正極板及び負極板は、それぞれのずらされた方向の端部に、活物質が塗工されず基材層が露出した（活物質層が形成されていない）部分（活物質層非形成部）を有している。具体的には、電極体３４０は、巻回軸方向の両端部（Ｙ軸方向の両端部）に、正極板及び負極板の活物質層非形成部が積層された２つの電極体端部３４１を有している。
【００４４】
集電体３３０は、電極体３４０と容器３１０の側壁との間に配置され、電極端子３２０と電極体３４０とに電気的に接続される導電性と剛性とを備えた部材（正極集電体及び負極集電体）である。具体的には、集電体３３０は、電極体３４０の電極体端部３４１に溶接などによって接合されている。なお、正極の集電体３３０は、正極板の正極基材層と同様、アルミニウムまたはアルミニウム合金などで形成され、負極の集電体３３０は、負極板の負極基材層と同様、銅または銅合金などで形成されている。
【００４５】
［３  エンドプレート４００の構成の説明］
次に、エンドプレート４００（第一エンドプレート４０１、第二エンドプレート４０２）の構成について、詳細に説明する。図４は、本実施の形態に係るエンドプレート４００の構成を示す斜視図である。なお、同図では、エンドプレート４００として第一エンドプレート４０１を図示しているが、第二エンドプレート４０２は、第一エンドプレート４０１をＺ軸まわりに１８０°回転したものと同じ構成を有するため、第二エンドプレート４０２の図示は省略する。
【００４６】
同図に示すように、エンドプレート４００は、容器当接部４１０と、蓋体当接部４２０とを有している。容器当接部４１０は、ＹＺ平面に平行な矩形状かつ平板状の部位であり、蓄電素子３００の容器３１０が有する容器本体３１１のＸ軸方向プラス側の長側面部３１１ａに当接する。これにより、容器当接部４１０は、容器３１０の容器本体３１１と蓋体３１２との接合部３１０ａのうち、当該長側面部３１１ａと蓋体３１２との接合部３１０ａに当接する。
【００４７】
蓋体当接部４２０は、容器当接部４１０の上端部（Ｚ軸方向プラス側の端部）からＸ軸方向マイナス側に突出して配置された板状の部位であり、蓄電素子３００の蓋体３１２の表面（上面）に当接する。本実施の形態では、容器当接部４１０の上端部に、Ｙ軸方向に並ぶ２つのＬ字状の蓋体当接部４２０が配置されている。具体的には、それぞれの蓋体当接部４２０は、ＸＹ平面に平行な第一板部４２１と、第一板部４２１のＸ軸方向プラス側の端部から立設する第二板部４２２とを有している。第一板部４２１は、蓋体３１２の表面に当接する部位であり、第二板部４２２は、容器当接部４１０に接続される部位である。
【００４８】
ここで、容器当接部４１０と蓋体当接部４２０とは、別体の金属部材であり、互いに接合されている。具体的には、容器当接部４１０と蓋体当接部４２０の第二板部４２２とが溶接等で接合されて、容器当接部４１０と蓋体当接部４２０との接合部である当接部間接合部４３０が形成されている。つまり、容器当接部４１０及び蓋体当接部４２０は、互いに接合（溶接）された金属製の部材である。
【００４９】
なお、容器当接部４１０及び蓋体当接部４２０の形状や接合位置は、特に限定されない。例えば、容器当接部４１０のＸ軸方向マイナス側の面に第二板部４２２が接合されていてもよいし、蓋体当接部４２０が第二板部４２２を有しておらず、容器当接部４１０の上面またはＸ軸方向マイナス側の面に第一板部４２１が接合されていてもよい。また、接合の手法も溶接には限定されず、容器当接部４１０及び蓋体当接部４２０は、例えば、接着、ボルト締結、溶着（熱溶着）等によって接合されていることにしてもよい。
【００５０】
［４  エンドプレート４００の取付構成の説明］
次に、エンドプレート４００が蓄電素子３００に取り付けられて、第二外装体２００内に収容される構成について、説明する。図５は、本実施の形態に係るエンドプレート４００が蓄電素子３００に取り付けられた構成を示す斜視図である。また、図６は、本実施の形態に係る蓄電素子３００及びエンドプレート４００が第二外装体２００内に収容された状態での構成を示す断面図である。
【００５１】
まず、図５に示すように、エンドプレート４００の容器当接部４１０は、蓄電素子３００の容器３１０のＸ軸方向プラス側の面に当接する。具体的には、容器当接部４１０は、容器３１０の容器本体３１１のＸ軸方向プラス側の長側面部３１１ａ、及び、蓋体３１２のＸ軸方向プラス側の面に当接する。つまり、容器当接部４１０は、容器３１０のＸ軸方向プラス側の接合部３１０ａ（Ｘ軸方向プラス側の長側面部３１１ａ及び蓋体３１２の接合部３１０ａ）に当接する。ここで、容器当接部４１０は、Ｙ軸方向においては、当該長側面部３１１ａ及び蓋体３１２の接合部３１０ａに、当該接合部３１０ａの長さの半分以上に亘って当接するのが好ましい。また、容器当接部４１０は、Ｚ軸方向においては、当該長側面部３１１ａ及び蓋体３１２の接合部３１０ａから、当該長側面部３１１ａの中心位置までに亘って当接するのが好ましい。本実施の形態では、容器当接部４１０は、蓋体３１２のＸ軸方向プラス側の面、及び、当該長側面部３１１ａの表面のほぼ全面に当接する。
【００５２】
このように、容器当接部４１０は、Ｘ軸方向プラス側から見て、容器本体３１１及び蓋体３１２のＸ軸方向プラス側の側面における、容器本体３１１と蓋体３１２との接合部３１０ａと重なる位置に当接して配置されている。つまり、容器当接部４１０は、容器３１０の長側面部３１１ａ側の側面のうちの、Ｘ軸方向プラス側から見た場合に接合部３１０ａと重なる位置に当接して配置されている。
【００５３】
また、蓋体当接部４２０は、容器３１０の蓋体３１２の表面に当接する。なお、蓋体当接部４２０は、Ｘ軸方向においては、蓋体３１２の長さ（幅）の半分以上に亘って、蓋体３１２に当接するのが好ましい。本実施の形態では、蓋体当接部４２０は、Ｘ軸方向において、蓋体３１２の長さのほぼ全長に亘って蓋体３１２に当接する。また、蓋体当接部４２０は、Ｙ軸方向においては、２つの電極端子３２０及びガス排出弁３１２ａには当接しないように、蓋体３１２のうちのこれらとは異なる位置に当接するのが好ましい。具体的には、蓋体当接部４２０は、Ｙ軸方向において、２つの電極端子３２０及びガス排出弁３１２ａとは異なる位置における合計長さの半分以上に当接するのが好ましい。本実施の形態では、正極の電極端子３２０側の蓋体当接部４２０が、Ｙ軸方向において、正極の電極端子３２０とガス排出弁３１２ａとの間のほぼ全長に亘って蓋体３１２に当接する。また、負極の電極端子３２０側の蓋体当接部４２０が、Ｙ軸方向において、負極の電極端子３２０とガス排出弁３１２ａとの間のほぼ全長に亘って蓋体３１２に当接する。
【００５４】
ここで、蓋体当接部４２０は、蓋体３１２の表面に固定されている。具体的には、蓋体当接部４２０は、蓋体３１２の表面に接着剤等で接合されている。つまり、蓋体当接部４２０の裏面または蓋体３１２の表面に接着剤を塗布し、両者を接着することにより、蓋体当接部４２０を蓋体３１２の表面に固定（接合）する。
【００５５】
なお、接着剤を塗布する範囲は特に限定されないが、蓋体当接部４２０の全面に亘って接着剤を塗布するのが好ましく、蓋体当接部４２０と容器当接部４１０との境界部分にも接着剤を塗布するのが好ましい。つまり、蓋体当接部４２０は、蓋体当接部４２０の全面に亘って、蓋体３１２の表面に固定（接合）されているのが好ましく、蓋体当接部４２０と容器当接部４１０との境界部分においても、容器３１０に固定（接合）されているのが好ましい。なお、蓋体当接部４２０を蓋体３１２の表面に固定（接合）する手法は、接着剤による接着には限定されず、両面テープ等によって接着してもよいし、溶接、ボルト締結、溶着（熱溶着）等によって固定（接合）することにしてもよい。
【００５６】
また、本実施の形態では、容器当接部４１０は、容器本体３１１の長側面部３１１ａに固定されていないが、容器当接部４１０についても、容器本体３１１の長側面部３１１ａに固定することにしてもよい。この場合、容器当接部４１０は、容器当接部４１０の全面に亘って、長側面部３１１ａに固定（接合）されているのが好ましい。なお、容器当接部４１０を長側面部３１１ａに固定する手法としては、蓋体当接部４２０を蓋体３１２に固定する手法と同様の手法を用いることができる。
【００５７】
また、図６に示すように、エンドプレート４００が蓄電素子３００に取り付けられた後に、蓄電素子３００及びエンドプレート４００が第二外装体２００内に収容される。つまり、第一蓄電素子３０１及び第二蓄電素子３０２に第一エンドプレート４０１及び第二エンドプレート４０２を取り付けてから、複数の第三蓄電素子３０３を挟み込み、第二外装体２００内に挿入する。これにより、第一エンドプレート４０１及び第二エンドプレート４０２は、第一方向（Ｘ軸方向）において、第二外装体２００の内面（短側壁２３０の内壁）に当接して配置されることとなる。このようにして、蓄電素子３００及びエンドプレート４００のＸ軸方向における移動が規制される。なお、Ｙ軸方向においては、図２に示した長側壁２２０の内壁に設けられたリブ２４０が、蓄電素子３００及びエンドプレート４００に当接することで、蓄電素子３００及びエンドプレート４００の移動が規制される。
【００５８】
ここで、第一エンドプレート４０１の容器当接部４１０を第一容器当接部とも呼び、第一エンドプレート４０１の蓋体当接部４２０を第一蓋体当接部とも呼ぶこととする。つまり、第一エンドプレート４０１は、第一蓄電素子３０１の容器本体３１１（第一容器本体）の第一方向側（Ｘ軸方向プラス側）の側面（長側面部３１１ａ）に当接する第一容器当接部と、第一蓄電素子３０１の蓋体３１２（第一蓋体）の表面に当接する第一蓋体当接部とを有している。また、第一容器当接部及び第一蓋体当接部は、互いに接合された金属製の部材であり、第一蓋体当接部は、第一容器当接部から第二方向（Ｘ軸方向マイナス側）に向けて突出して配置されている。また、第一容器当接部は、第一方向から見て、第一容器本体及び第一蓋体の第一方向側の側面（長側面部３１１ａ側の側面）における、第一容器本体と第一蓋体との接合部３１０ａと重なる位置に当接して配置されている。また、第一蓋体当接部は、第一蓋体の表面に固定されている。
【００５９】
同様に、第二エンドプレート４０２の容器当接部４１０を第二容器当接部とも呼び、第二エンドプレート４０２の蓋体当接部４２０を第二蓋体当接部とも呼ぶこととする。つまり、第二エンドプレート４０２は、第二蓄電素子３０２の容器本体３１１（第二容器本体）の第二方向側（Ｘ軸方向マイナス側）の側面（長側面部３１１ａ）に当接する第二容器当接部と、第二蓄電素子３０２の蓋体３１２（第二蓋体）の表面に当接する第二蓋体当接部とを有している。また、第二容器当接部及び第二蓋体当接部は、互いに接合された金属製の部材であり、第二蓋体当接部は、第二容器当接部から第一方向（Ｘ軸方向プラス側）に向けて突出して配置されている。また、第二容器当接部は、第二方向から見て、第二容器本体及び第二蓋体の第二方向側の側面（長側面部３１１ａ側の側面）における、第二容器本体と第二蓋体との接合部３１０ａと重なる位置に当接して配置されている。また、第二蓋体当接部は、第二蓋体の表面に固定されている。
【００６０】
［５  効果の説明］
以上のように、本発明の実施の形態に係る蓄電装置１０によれば、一端部の第一蓄電素子３０１の第一容器本体の側面と第一蓋体の表面とに第一エンドプレート４０１を当接させ、他端部の第二蓄電素子３０２の第二容器本体の側面と第二蓋体の表面とに第二エンドプレート４０２を当接させて、複数の蓄電素子３００を挟み込む。つまり、２つのエンドプレート４００で複数の蓄電素子３００を挟み込んだ状態で、両端部の蓄電素子３００の容器３１０において容器本体３１１の側面と蓋体３１２の表面とにエンドプレート４００をそれぞれ当接させる。これにより、両端部の蓄電素子３００の容器３１０において、容器本体３１１に対して蓋体３１２が傾いたり変形したりするのが抑制されるため、当該両端部の蓄電素子３００の容器３１０が膨れるのを抑制することができる。このように、２つのエンドプレート４００で複数の蓄電素子３００を挟み込んで、両端部の蓄電素子３００の容器３１０が膨れるのを抑制することで、複数の蓄電素子３００の容器３１０が膨れるのをバランスよく抑制することができるため、容器３１０が損傷するのを抑制することができる。特に、蓄電素子３００の容器３１０が膨れるのを抑制することができると、容器本体３１１と蓋体３１２との接合部３１０ａにかかる応力を緩和することができるため、蓄電素子３００の容器３１０において接合部３１０ａが損傷するのを抑制することができる。
【００６１】
また、第一エンドプレート４０１の第一容器当接部は、第一方向から見て、第一容器本体及び第一蓋体の第一方向側の側面における、第一容器本体と第一蓋体との接合部３１０ａと重なる位置に当接して配置されている。つまり、第一容器において、第一容器本体と第一蓋体との接合部３１０ａは強度が比較的弱い箇所であるため、第一方向から見て、第一容器の側面における接合部３１０ａと重なる位置に、第一エンドプレート４０１を当接して配置する。第二エンドプレート４０２についても同様である。これにより、接合部３１０ａを補強して接合部３１０ａが損傷するのを抑制しつつ容器３１０の側面を押さえることができるため、蓄電素子３００の容器３１０が損傷するのをさらに抑制することができる。
【００６２】
また、第一エンドプレート４０１の第一蓋体当接部は、第一蓋体の表面に固定されている。つまり、第一エンドプレート４０１を第一蓋体に固定することで、第一エンドプレート４０１を第一蓋体の動きに追従させることができるため、第一容器本体に対して第一蓋体が傾いたり変形したりするのがさらに抑制される。第二エンドプレート４０２についても同様である。これにより、容器３１０が膨れるのをさらに抑制することができるため、蓄電素子３００の容器３１０が損傷するのをさらに抑制することができる。特に、容器本体３１１と蓋体３１２との接合部３１０ａにかかる応力をさらに緩和することができるため、接合部３１０ａが損傷するのを抑制することができる。
【００６３】
また、第一エンドプレート４０１及び第二エンドプレート４０２は、第一方向において、外装体１１の内面に当接して配置されている。つまり、外装体１１で２つのエンドプレート４００を挟み込むことで、外装体１１に対する当該２つのエンドプレート４００の移動を規制することができるため、当該２つのエンドプレート４００で複数の蓄電素子３００をしっかりと挟み込むことができる。このように、本実施の形態では、２つのエンドプレート４００を繋いで複数の蓄電素子３００を拘束する拘束バーが設けられることなく、当該２つのエンドプレート４００で複数の蓄電素子３００をしっかりと挟み込むことができている。これにより、蓄電素子３００の容器３１０が膨れるのを抑制することができ、蓄電素子３００の容器３１０が損傷するのを抑制することができる。
【００６４】
また、第一エンドプレート４０１は、金属製の第一容器当接部と、第一容器当接部から第二方向に向けて突出するように配置された金属製の第一蓋体当接部とが、接合されて形成されている。ここで、１枚の金属製のプレートを曲げて加工することで第一容器当接部及び第一蓋体当接部を形成すると、第一容器当接部と第一蓋体当接部との間に湾曲部（Ｒ部）ができてしまう。しかし、当該湾曲部が大きいと、当該湾曲部が第一容器の角部と干渉してしまうため、第一容器当接部及び第一蓋体当接部を第一容器本体の側面及び第一蓋体の表面に当接させることが困難になる。例えば、第一蓋体当接部と第一蓋体との間に隙間が空いた場合に、接着剤で当該隙間を埋めると接着剤の厚みが大きくなるため、第一容器に対して第一エンドプレート４０１がずれやすく、第一エンドプレート４０１で第一容器の膨れをしっかりと抑制することができない。このため、別部材の第一容器当接部及び第一蓋体当接部を接合することで、第一容器本体の側面及び第一蓋体の表面に当接可能な形状（Ｌ字形状）を容易に形成することができる。また、第一エンドプレート４０１をＬ字形状に形成することで、省スペース化を図ることもできる。第二エンドプレート４０２についても同様である。
【００６５】
［６  変形例の説明］
（変形例１）
次に、上記実施の形態の変形例１について、説明する。図７は、本実施の形態の変形例１に係るエンドプレート４００ａの構成を示す側面図である。
【００６６】
同図に示すように、本変形例に係るエンドプレート４００ａは、上記実施の形態におけるエンドプレート４００の蓋体当接部４２０に代えて、蓋体当接部４２０ａ及び曲げ部４２０ｂを有している。蓋体当接部４２０ａは、蓋体３１２の表面に当接する平板状の部位であり、曲げ部４２０ｂは、蓋体当接部４２０ａと容器当接部４１０とを繋ぐ湾曲した部位である。
【００６７】
具体的には、曲げ部４２０ｂは、蓋体当接部４２０ａのＸ軸方向プラス側の端部から容器当接部４１０とは反対側（Ｚ軸方向プラス側）に突出し、かつ、容器当接部４１０側（Ｚ軸方向マイナス側）に湾曲して容器当接部４１０に接続されている。つまり、容器当接部４１０、曲げ部４２０ｂ及び蓋体当接部４２０ａは、連続した１つの金属製の部材であり、エンドプレート４００ａは、１枚の金属製の板材を湾曲させて形成されている。その他の構成については、上記実施の形態と同様であるため、詳細な説明は省略する。
【００６８】
このように、本変形例においては、上記実施の形態における第一エンドプレート４０１及び第二エンドプレート４０２が、エンドプレート４００ａの構成を有している。具体的には、第一エンドプレートは、第一蓋体当接部の端部から第一容器当接部とは反対側に突出し、かつ、第一容器当接部側に湾曲して第一容器当接部に接続される曲げ部を有し、第一容器当接部、曲げ部及び第一蓋体当接部は、連続した１つの金属製の部材である。同様に、第二エンドプレートは、第二蓋体当接部の端部から第二容器当接部とは反対側に突出し、かつ、第二容器当接部側に湾曲して第二容器当接部に接続される曲げ部を有し、第二容器当接部、曲げ部及び第二蓋体当接部は、連続した１つの金属製の部材である。
【００６９】
以上のように、本変形例に係る蓄電装置によれば、上記実施の形態と同様の効果を奏することができる。特に、本変形例では、容器当接部４１０と蓋体当接部４２０ａとの間に曲げ部４２０ｂを形成することで、容器当接部４１０及び蓋体当接部４２０ａを容器本体３１１の側面及び蓋体３１２の表面に当接させることができる。また、連続した１つの金属製の部材を加工して、容器当接部４１０と曲げ部４２０ｂと蓋体当接部４２０ａとを形成することで、エンドプレート４００ａを容易に形成することができる。
【００７０】
（変形例２）
次に、上記実施の形態の変形例２について、説明する。図８は、本実施の形態の変形例２に係るエンドプレート４００ｂの構成を示す斜視図である。具体的には、同図は、図５に対応する図である。
【００７１】
図８に示すように、本変形例に係るエンドプレート４００ｂは、上記実施の形態におけるエンドプレート４００の容器当接部４１０に代えて、容器当接部４１０ａを有している。容器当接部４１０ａは、Ｘ軸方向プラス側の長側面部３１１ａに当接する第一面当接部４１１と、Ｙ軸方向プラス側の短側面部３１１ｂに当接する第二面当接部４１２と、Ｙ軸方向マイナス側の短側面部３１１ｂに当接する第三面当接部４１３とを有している。つまり、第一面当接部４１１は、Ｘ軸方向プラス側の長側面部３１１ａと蓋体３１２との接合部３１０ａに当接し、第二面当接部４１２は、Ｙ軸方向プラス側の短側面部３１１ｂと蓋体３１２との接合部３１０ａに当接し、第三面当接部４１３は、Ｙ軸方向マイナス側の短側面部３１１ｂと蓋体３１２との接合部３１０ａに当接して配置されている。
【００７２】
このように、本変形例においては、上記実施の形態における第一エンドプレート４０１及び第二エンドプレート４０２が、エンドプレート４００ｂの構成を有している。その他の構成については、上記実施の形態と同様であるため、詳細な説明は省略する。
【００７３】
なお、第一面当接部４１１は、Ｘ軸方向プラス側の長側面部３１１ａに固定（接合）されていてもよいし、第二面当接部４１２は、Ｙ軸方向プラス側の短側面部３１１ｂに固定（接合）されていてもよいし、第三面当接部４１３は、Ｙ軸方向マイナス側の短側面部３１１ｂに固定（接合）されていてもよい。また、第一面当接部４１１、第二面当接部４１２及び第三面当接部４１３のＺ軸方向の長さは、特に限定されず、長側面部３１１ａ及び２つの短側面部３１１ｂのほぼ全面に当接するように、Ｚ軸方向マイナス側に延設されていてもよいし、その他の長さでもかまわない。ただし、第一面当接部４１１、第二面当接部４１２及び第三面当接部４１３は、上記実施の形態における容器当接部４１０と同様に、Ｚ軸方向において、接合部３１０ａから容器本体３１１の中心位置までに亘って容器本体３１１に当接するのが好ましい。
【００７４】
以上のように、本変形例に係る蓄電装置によれば、上記実施の形態と同様の効果を奏することができる。特に、本変形例では、容器当接部４１０ａは、蓄電素子３００の容器３１０の長側面部３１１ａ及び２つの短側面部３１１ｂの３面に当接するため、容器３１０が膨れるのをさらに抑制し、容器３１０が損傷するのをさらに抑制することができる。また、容器当接部４１０ａは、当該３面における接合部３１０ａに当接して配置されるため、接合部３１０ａをさらに補強して、接合部３１０ａが損傷するのをさらに抑制することができる。
【００７５】
（その他の変形例）
以上、本発明の実施の形態及びその変形例に係る蓄電装置について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなく特許請求の範囲によって示され、特許請求の範囲と均等の意味及び範囲内での全ての変更が含まれることが意図される。
【００７６】
例えば、上記実施の形態及びその変形例では、第一エンドプレート及び第二エンドプレートの双方が上記の構成を有していることとしたが、第一エンドプレート及び第二エンドプレートのいずれか一方のみが上記の構成を有していることにしてもよい。
【００７７】
また、上記実施の形態及びその変形例では、第一エンドプレート及び第二エンドプレートの間に、第一蓄電素子３０１、第二蓄電素子３０２及び第三蓄電素子３０３が配置されることとした。しかし、第一エンドプレート及び第二エンドプレートの間には、第三蓄電素子３０３は配置されず、第一蓄電素子３０１及び第二蓄電素子３０２の２つの蓄電素子３００が配置されることにしてもよい。
【００７８】
また、上記実施の形態及びその変形例では、蓄電素子３００は、容器３１０の側面（Ｘ軸方向両側及びＹ軸方向両側の面）に、容器本体３１１と蓋体３１２との接合部３１０ａを有していることとした。しかし、蓄電素子３００は、容器３１０の上面（Ｚ軸方向プラス側の面）に接合部３１０ａを有していることにしてもよい。例えば、蓋体３１２を容器本体３１１の上部の開口部に嵌め込んで上方から溶接を行う場合などに、容器３１０の上面に接合部３１０ａが形成される。この場合でも、エンドプレートの容器当接部を、側方から見て、容器３１０の側面における接合部３１０ａと重なる位置に当接して配置することで、エンドプレートが接合部３１０ａの近傍に配置されることとなるため、上記実施の形態と同様に、接合部３１０ａを補強して容器３１０が損傷するのを抑制することができる。
【００７９】
また、上記実施の形態及びその変形例では、エンドプレートの蓋体当接部は、容器３１０の蓋体３１２の表面に固定（接合）されることとした。しかし、エンドプレートの蓋体当接部は、容器３１０の蓋体３１２の表面に固定（接合）されないことにしてもよい。
【００８０】
また、上記実施の形態及びその変形例では、エンドプレートは、第二外装体２００の内面に直接当接していることとした。しかし、エンドプレートは、第二外装体２００の内面に、スペーサ等の他の部材を介して間接的に当接していることにしてもよい。また、第二外装体２００の短側壁２３０の内面に、長側壁２２０のリブ２４０と同様のリブを設け、エンドプレートは、第二外装体２００の内面に、このリブを介して間接的に当接していることにしてもよい。
【００８１】
また、上記実施の形態及びその変形例では、蓄電素子３００の電極体３４０は、正極板と負極板とセパレータとが巻回されて形成された巻回型形状であることとしたが、電極体３４０は、平板状極板を積層した積層型形状や、長尺の平板状極板を折り畳んだ蛇腹状の形状であることにしてもよい。また、電極体３４０の個数も限定されない。
【００８２】
また、上記実施の形態及びその変形例では、蓄電素子３００は、金属製等の容器３１０を有していることとしたが、この容器３１０に代えて、ラミネート容器を有していることにしてもよい。この場合でも、ラミネート容器が膨れて損傷するのを抑制することができる。
【００８３】
また、上記実施の形態及びその変形例に含まれる構成要素を任意に組み合わせて構築される形態も、本発明の範囲内に含まれる。
【００８４】
また、本発明は、このような蓄電装置として実現することができるだけでなく、当該蓄電装置が備えるエンドプレート（第一エンドプレート及び第二エンドプレート）としても実現することができる。
【産業上の利用可能性】
【００８５】
本発明は、リチウムイオン二次電池などの蓄電素子を備えた蓄電装置等に適用できる。
【符号の説明】
【００８６】
１０  蓄電装置
１１  外装体
２００  第二外装体
３００  蓄電素子
３０１  第一蓄電素子
３０２  第二蓄電素子
３１０  容器
３１０ａ  接合部
３１１  容器本体
３１２  蓋体
４００、４００ａ、４００ｂ  エンドプレート
４０１  第一エンドプレート
４０２  第二エンドプレート
４１０、４１０ａ  容器当接部
４２０、４２０ａ  蓋体当接部
４２０ｂ  曲げ部
４３０  当接部間接合部
【図１】
2019079599.tif 000003
【図２】
2019079599.tif 000004
【図３】
2019079599.tif 000005
【図４】
2019079599.tif 000006
【図５】
2019079599.tif 000007
【図６】
2019079599.tif 000008
【図７】
2019079599.tif 000009
【図８】
2019079599.tif 000010